(57)【特許請求の範囲】
【請求項１】
生体に刺すためのものであって、シリコンで形成されると共に、微小な針形状に形成された針本体と、この針本体の内部に設けられた空洞部とを備えて成る採血針に、採血用のポンプ部を一体に設け、
前記採血針及び前記採血用のポンプ部から成る採血部と、血液を分析する分析部とを同一基板に設け、
前記同一基板上に、ポンプ用電極、電気泳導用電極及び分析用電極を設け、
採血から分析までの血液に接触する部分を１つの部品として構成し、
個人情報等を書き込むためのメモリを一体化したことを特徴とする採血分析装置。
【発明の詳細な説明】
【０００１】
【発明の属する技術分野】
本発明は、人体から血液を採るために使用する採血分析装置に関する。
【０００２】
【従来の技術】
人体等の生体から血液を採る場合、注射器及び注射針を使用して人体から採血した後、採血した血液を試験管の中に入れている。そして、試験管の中に入れた血液の例えば血糖値を分析するときには、血糖値分析装置を用いて分析していた。また、試験管の中に入れた血液の例えばＤＮＡ分析を行うときには、ＰＣＲ等の装置を用いてＤＮＡを抽出してから分析していた。
【０００３】
【発明が解決しようとする課題】
上記従来構成の場合、採血するときには、かなり太い注射針を生体に刺すので、被採血者に対してかなり痛みを与えるという問題点があった。また、注射器、注射針、試験管、ピペット等を使い回すことができないので、これら医療機器を被採血者一人に対して１回使用しただけで廃棄しなければならず、医療廃棄物の量がかなり多くなるという欠点もあった。
【０００４】
更に、ＰＣＲ等の装置を用いてＤＮＡを抽出するときには、抽出に要する時間が長くなり、更に、分析に使用する試薬が高価であるため、分析費用が高くなるという欠点もあった。この場合、シリコン基板上にＰＣＲを形成し、ＤＮＡの抽出を高速で行うようにした構成（いわゆるＤＮＡ分析チップ）が考えられているが、この構成であっても、注射器または試験管からＰＣＲへ血液を投入する作業が必要となる。このため、医療廃棄物の量が多くなるという欠点が生ずる。
【０００５】
そこで、本発明の目的は、被採血者に痛みを極力与えないようにし、また、医療廃棄物の量を削減し、また、分析に要する時間を短縮し、また、分析に要する費用を安くすることができる採血分析装置を提供することにある。
【０００６】
【課題を解決するための手段】
請求項１の発明によれば、採血針を、シリコンで形成されると共に微小な針形状に形成された針本体と、この針本体の内部に設けられた空洞部とを備えて成るように構成したので、採血針の太さを、蚊の吸血用の口器の太さと同じ程度または小さくすることが可能となる。このような採血針を使用して採血すれば、被採血者に痛みを与えることはほとんどない。そして、請求項１の発明によれば、上記採血針に、採血用のポンプ部を一体に設けたので、採血針とポンプ部を合わせた構成を小形化することができる。また、請求項１の発明によれば、採血針及び採血用のポンプ部から成る採血部と、血液を分析する分析部とを同一基板に設けたので、採血部と分析部を合わせた構成を非常に小形化することができる。更に、請求項１の発明によれば、同一基板上に、ポンプ用電極、電気泳導用電極及び分析用電極を設けたので、採血分析装置を非常に小形化することができる。更にまた、請求項１の発明によれば、個人情報等を書き込むためのメモリを一体化したので、採血分析装置を個人に１対１に対応させて使用することが容易に実現できる。
【００２３】
【発明の実施の形態】
以下、本発明の一実施例について図面を参照しながら説明する。まず、図１ないし図５は本実施例の採血分析装置１を示す図である。この採血分析装置１は、矩形板状の装置本体２と、この装置本体２の図１中左端面部の中央部に突設された採血針３とから構成されている。装置本体２の大きさは、例えば２０ｍｍ×１０ｍｍ程度であると共に、その厚み寸法は０．５ｍｍ程度である。採血針３は生体に刺すためのものであって、その針本体３ａは微小な針形状に形成されている。具体的には、針本体３ａの外径寸法は５０μｍ程度であり、その長さ寸法は最大でも２ｍｍ程度である。
【００２４】
そして、針本体３ａは、後述するようにしてシリコンで形成されている。上記針本体３ａの内部には、図４に示すように、空洞部３ｂが設けられている。更に、針本体３ａの外周部には、図１に示すように、のこぎり形状の刃部３ｃが突設されている。この刃部３ｃは、生体に採血針３を突き刺し易くするためのものである。
【００２５】
また、装置本体２の内部には、図３に示すように、採血した血液を分析する分析部４と、血液を吸引するポンプ部５とが設けられている。上記装置本体２の上面部の右半部には、図１に示すように、ポンプ部５のアクチュエータとして例えば圧電ユニモルフアクチュエータ６が配設されている。装置本体２の上面部の右端部には、圧電駆動電極７が配設されている。装置本体２の下面部の右端部には、段部８が形成されていると共に、この段部８の下面に、図２に示すように、分析電極９が配設されている。
【００２６】
また、採血分析装置１は、後述するようにして、２枚のシリコン基板である例えばＳＯＩ基板１０ａ、１０ｂを貼り合わせて構成されている。この構成の場合、図４及び図５に示すように、２枚のＳＯＩ基板１０ａ、１０ｂを貼り合わせた接合部分に、採血針３の空洞部３ｂ、分析部４の流路１２及びポンプ部５のダイヤフラム室１３等が設けられている。
【００２７】
次に、上記採血分析装置１を製造する製造工程について、図６ないし図１２も参照して説明する。本実施例の場合、半導体プロセスを用いて採血分析装置１を製造している。まず、上記した２枚のＳＯＩ基板を作成する工程について、図１１に従って説明する。
【００２８】
図１１（ａ）に示すように、基板として、例えば単結晶Ｓｉ基板１４を用意する。この単結晶Ｓｉ基板１４は、表面の面方位が（１００）に設定されたものであって、厚み寸法が少なくとも３００μｍ程度あるものであり、更に、低不純物濃度のものである。そして、図１１（ｂ）に示すように、単結晶Ｓｉ基板１４の表面、即ち、鏡面加工面の全面に酸化シリコン膜１５を例えばプラズマＣＶＤ法によって堆積する。この場合、酸化シリコン膜１５の膜厚が０．５μｍ程度となるように堆積する。
【００２９】
続いて、図１１（ｃ）に示すように、酸化シリコン膜１５の上に、採血針３をエッチングにより形成する際に使用するマスク１６を形成する。このマスク１６は、白金の膜を例えば電子ビーム蒸着法によって形成した後、その白金膜をフォトリソグラフィ技術及びエッチング技術を利用してパターニングすることにより形成されている。
【００３０】
そして、図１１（ｄ）及び（ｅ）に示すように、上記した構成の単結晶Ｓｉ基板１４の上に、別の単結晶Ｓｉ基板１７を貼り合わせ、熱処理する。これにより、白金のマスク１６を埋め込んだＳＯＩ基板１８が作成される。この後、ＳＯＩ基板１８の単結晶Ｓｉ基板１４側を研磨することにより、単結晶Ｓｉ基板１４の厚さ寸法、即ち、単結晶Ｓｉ薄膜部１４ａの厚さ寸法が例えば１２μｍ程度となるようにする。これにて、ベースＳＯＩ基板１０が完成する。尚、本実施例では、埋込みマスク１６として、白金膜を用いたが、これに限られるものではなく、例えばＣＶＤ等により形成したシリコン窒化膜を用いても良い。
【００３１】
次に、図１２（ａ）に示すように、１枚のベースＳＯＩ基板１０ａを用意する。そして、図１２（ｂ）に示すように、上記ＳＯＩ基板１０ａの単結晶Ｓｉ薄膜部１４ａに、採血針３の空洞部３ａ、分析部４の流路１２及びポンプ部５のダイヤフラム室１３用の溝部１９を形成する。この場合、ＳＯＩ基板１８ａの単結晶Ｓｉ薄膜部１４ａを、フォトリソグラフィ技術及びエッチング技術を利用してパターニングすることにより、深さ寸法が例えば１０μｍ程度の溝部１９を形成する。ここで、図１２（ｂ）に示す溝部１９は、採血針３の空洞部３ａ用の溝部である。上記溝部１９を形成した状態のＳＯＩ基板１０ａ（の単結晶Ｓｉ薄膜部１４ａ）の上面を示す図が、図６である。
【００３２】
この図６において、採血針３の空洞部３ａ用の溝部の幅寸法は、例えば２０μｍ程度に設定されている。そして、分析部４の流路１２用の溝部の幅寸法は、例えば１００μｍ程度に設定されている。この流路１２用の溝部は、ミアンダ形状（蛇行した形状）となるように形成されており、その長さ寸法（即ち、流路１２の距離）が長くなるように構成されている。また、ポンプ部５のダイヤフラム室１３用の溝部は、ほぼ円形の凹部となっており、この凹部の直径は例えば９ｍｍ程度に設定されている。
【００３３】
ここで、ダイヤフラム室１３と分析部４の流路１２とが接続する部分には、図７に示すように、ディフューザー部２０が形成されている。このディフューザー部２０においては、ダイヤフラム室１３の入口１３ａが、流路１２のはばに比べて小さく形成されており、両者の間に、角度θが例えば２０度程度のテーパ部２１が形成されている。この構成の場合、圧電ユニモルフアクチュエータ６が駆動されてダイヤフラム室１３の上壁部、即ち、ダイヤフラム２２（図５参照、後述する）が図５中上方向へ膨らむように変形したときに、ディフューザー部２０によって流路１２内の流体がダイヤフラム室１３内へ吸引されるように構成されている。この場合、ポンプ部５はディフューザー型マイクロポンプにより構成されている。
【００３４】
また、ＳＯＩ基板１０ａの上面における図６中上辺部には、メタノール液供給用の流路２３用の溝部が形成されている。この流路２３の右端部は、メタノール液供給口２４となっている。流路２３の左端部は、採血針３の空洞部３ａと分析部４の流路１２とが接続する部分に連通するように接続されている。
【００３５】
次に、図１２（ｃ）に示すように、ＳＯＩ基板１０ａの上面の全面に、シリコン酸化膜２５を例えばプラズマＣＶＤ法によって膜厚が例えば２μｍ程度になるように堆積する。この場合、ＳＯＩ基板１０ａをプラズマＣＶＤ装置内にセットし、真空度８．２Ｔｏｒｒ、ＲＦパワー７２５Ｗ、酸素１０００ｓｃｃｍ、ヘリウム１２００ｓｃｃｍ、ＴＥＯＳ１０００ｍｇｍ、基板温度３８９℃の条件で１７６秒間、堆積を実行した。この後、酸化シリコン層の緻密化のために、加熱処理を行うことも好ましい。
【００３６】
一方、図１２（ｄ）に示すように、別の１枚のベースＳＯＩ基板１０ｂを用意する。そして、図１２（ｅ）に示すように、上記ＳＯＩ基板１０ｂの単結晶Ｓｉ薄膜部１４ａの表面（鏡面加工面）に、シリコン酸化膜２６を例えばプラズマＣＶＤ法によって膜厚が例えば２μｍ程度になるように堆積する。このシリコン酸化膜２６を形成する工程は、上記したシリコン酸化膜２５を形成する工程の条件とほぼ同じ条件である。
【００３７】
そして、上記ＳＯＩ基板１８ｂのシリコン酸化膜２６の上面に、分析電極９を形成する。具体的には、上記シリコン酸化膜２６の上面に白金膜（図示しない）を例えば蒸着により形成した後、その白金膜をフォトリソグラフィ技術及びエッチング技術を利用して所定のパターン形状の分析電極９を形成する。ここで、分析電極９を形成した状態のＳＯＩ基板１０ｂの上面図を、図９に示す。
【００３８】
この図９に示すように、分析電極９のうちの適当な一対の電極９、９は、ミアンダ形状の流路１２（図９中２点鎖線参照）に沿って所定距離ｄだけ離間するように配設されている（図１０も参照）。この一対の電極９、９は、電極９、９間の導電率を測定するための電極である。上記導電率の測定により、採血した血液の血糖値を検出できるように構成されている。そして、このような対をなす電極９、９は複数対設けられており、これら複数対の電極９により分析電極９が構成されている。分析電極９の図９中右端部は、ＳＯＩ基板１０ｂの右端部まで延びており、この部分が図１及び図２に示す段部８となる。
【００３９】
尚、上記実施例では、ディフューザー型マイクロポンプ５により液体を吸引（ポンピング）するように構成したが、これに代えて、電気泳動により液体を吸引（ポンピング）するように構成しても良い。その構成の場合、電気泳動用の電極を、ＳＯＩ基板１０ｂのシリコン酸化膜２６の上面に形成するように構成することが好ましい。
【００４０】
この後、図１２（ｆ）及び（ｇ）に示すように、２枚のＳＯＩ基板１０ａ、１０ｂを貼り合わせる工程を実行する。この工程では、２枚のＳＯＩ基板１０ａ、１０ｂのシリコン酸化膜２５、２６を対向させるようにして、例えば陽極接合により貼り合わせた。この貼り合わせにより、溝１９に対応する部分が、採血針３の空洞部３ａ、分析部４の流路１２、ポンプ部５のダイヤフラム室１３、メタノール液供給用の流路２３となる。
【００４１】
次に、採血針３と、圧電ユニモルフアクチュエータ６を埋め込むための凹部２７（図５及び図８参照）とを形成するために、上記貼り合わせた基板２８に、エッチングマスクを形成し、エッチングしない領域を保護する。続いて、例えばＫＯＨを用いてエッチングを行う。この場合、酸化シリコン層（即ち、シリコン酸化膜２５、２６）がエッチストップとなり、図１２（ｈ）に示すように、エッチングされる。この図１２（ｈ）は、採血針３に対応する部分だけの縦断面を示している。
【００４２】
この後、採血針３を作成するために、上記した採血針３に対応する部分に対して、次に述べるような処理を実行する。即ち、図１２（ｉ）に示すように、弗酸溶液でエッチングすることにより、酸化シリコン層（シリコン酸化膜２５、２６）を除去する。この状態では、採血針３に対応する部分の酸化シリコン層（シリコン酸化膜２５、２６）は、白金のマスク１６により保護されているので、エッチングされない。
【００４３】
続いて、再びＫＯＨでエッチングすることにより、図１２（ｊ）に示すように、マスク１６で保護されていないシリコン層（単結晶Ｓｉ薄膜部１４ａ、１４ａ）を除去する。更に、弗酸溶液にディッピングすることにより、図１２（ｋ）に示すように、マスク１６で保護されていない薄い酸化シリコン層（酸化シリコン膜１５）をエッチングして除去する。これにより、採血針３が作成される。
【００４４】
一方、前記図１２（ｈ）に示すエッチング工程を行うときには、圧電ユニモルフアクチュエータ６を埋め込むための凹部２７（図５及び図８参照）が同時に形成される。この場合、凹部２７のエッチングは、酸化シリコン層（シリコン酸化膜２６）まで行われるが、圧電ユニモルフアクチュエータ６の構造によっては、エッチングを途中でストップするように構成しても良い。即ち、凹部２７の深さを所望の深さに設定し、シリコン層を残すように構成しても良い。尚、このように構成する場合、凹部２７側のエッチングを途中でストップした後は、採血針３に対応する部分側だけをエッチング液に浸漬して、エッチングを続けるようにすれば良い。
【００４５】
そして、図５及び図８に示すように、上記した凹部２７の底壁部、即ち、ダイヤフラム室１３の上壁部がダイヤフラム２２となる。次に、凹部２７に圧電ユニモルフアクチュエータ６に電圧を供給するための電極（圧電駆動電極７）を形成する工程について説明する。本実施例では、例えばＪＰＳ（Jet Printing System （真空冶金製））によって、図８に示すように、圧電駆動電極７を形成した。このＪＰＳは、金微粒子を描画するように基板に吹き付けて電極を形成する方法である。この方法によれば、上記凹部２７の深さ、即ち、段差が例えば５０μｍ程度ある場合でも、断線等のない良好な電極７（配線パターン）を形成することができた。
【００４６】
尚、２つの圧電駆動電極７のうちの、凹部２７の内底部まで延びている電極７ａ（の２本の導体パターン）は圧電ユニモルフアクチュエータ６の下面の電極に接続するためのものであり、もう一方の電極７ｂ（の２本の導体パターン）は圧電ユニモルフアクチュエータ６の上面の電極に接続するためのものである。また、圧電ユニモルフアクチュエータ６の上面及び下面には、例えば銀製の電極が形成されている。
【００４７】
次に、上記圧電ユニモルフアクチュエータ６を凹部２７に嵌合して取り付けるに当たっては、例えば導電性接着剤を用いて接着した（図５参照）。これにより、凹部２７の内底部まで延びている電極７ａと圧電ユニモルフアクチュエータ６の下面の電極とが接続される。そして、他方の電極７ｂと圧電ユニモルフアクチュエータ６の上面の電極との接続は、例えばワイヤボンディング（図示しない）により行った。尚、本実施例で用いた圧電ユニモルフアクチュエータ６の厚さ寸法は、例えば５０μｍ程度である。圧電ユニモルフアクチュエータ６としては、必要に応じて１００μｍ程度のものを用いても良いし、それ以外の厚さのものを用いても良い。
【００４８】
この後、上記したように作成した採血分析装置１に対して、血糖値測定用のバイオ素子及び抗凝血剤を固定処理する工程について説明する。まず、バイオ素子である例えば市販品のgulcose oxydase （ＧＯＤ）溶液を用意し、この溶液内に採血分析装置１の採血針３部分を浸漬する。そして、ポンプ部５を通電駆動することにより、gulcose oxydase 溶液を採血針３の空洞部３ｂ及び分析部４の流路１２内に吸引する。
【００４９】
この場合、ポンプ部５の圧電ユニモルフアクチュエータ６に対しては、例えば１５Ｖ、１ｋＨｚの正弦波電圧を印加した。また、吸引するgulcose oxydase 溶液の量は、分析部４の流路１２のミランダ形状部分（いわゆるミランダライン）を満たす程度の量であれば良い。具体的には、上記ミランダラインの長さを約１０ｃｍ、幅を約１００μｍ、厚さを約８μｍとすると、約８０ｎｌ程度であれば良い。
【００５０】
次に、採血針３を蒸留水で数回洗浄後、ポンプ部５を通電駆動して、採血針３の空洞部３ｂの内部に蒸留水を吸い上げた。ここで、吸引する蒸留水の量は、本実施例の場合、上記空洞部３ｂの内部容積である約０．２ｎｌ程度であれば良い。続いて、抗凝血剤である例えばheparin sodium（局方）液を用意し、このheparin sodium（局方）液内に採血針３を浸漬し、ポンプ部５を通電駆動して、採血針３の空洞部３ｂの内部にheparin sodium（局方）液が充填されるように吸い上げた。この場合、吸引するheparin sodium（局方）液の量は、空洞部３ｂの内部容積である約０．２ｎｌ程度であれば良い。
【００５１】
この後、heparin sodium（局方）及びgulcose oxydase を乾燥させる工程を実行する。具体的には、６０度で３０分、及び、８０度で１時間乾燥させる。そして、１３５度で５分のオートクレーブにより殺菌処理を行う。これにより、抗凝血剤としてのheparin sodium（局方）が、針本体３ａの空洞部３ｂの内面部に固定処理される。これと共に、グルコースセンサとしてのgulcose oxydase （ＧＯＤ）が分析部４の流路１２の内面に固定処理され、該流路１２の内面にgulcose oxydase （ＧＯＤ）固定化膜が形成される。
【００５２】
さて、上記したようにして作成された採血分析装置１を用いて、採血及び分析を行う場合には、図１３及び図１４に示すインジェクタ２９を使用する。このインジェクタ２９は、図１３に示すように、外筒３０と、この外筒３０内に上下方向に移動可能に設けられた内筒３１とから構成されている。内筒３１と外筒３０との間には、ばね（図示しない）が設けられており、このばねは外筒３０を内筒３１に対して図１３中下方へ向けて移動付勢している。
【００５３】
また、内筒３１の内部には、図１４に示すように、前記採血分析装置１が着脱可能に装着されるように構成されている。この場合、採血分析装置１は、その採血針３が下方へ向けて突出するように装着されている。内筒３１の上部には、ケーブル３２の一端部に設けられたコネクタ３３を着脱可能に接続するコネクタ接続部３４が設けられている。上記内筒３１に採血分析装置１が装着された状態で、コネクタ接続部３４内の端子（図示しない）と採血分析装置１の電極７、９が接続されるように構成されている。
【００５４】
尚、上記ケーブル３２の他端部は、採血分析装置１の運転を制御するコントロール装置（図示しない）に接続されている。このコントロール装置は、採血分析装置１のポンプ部５や分析部４を駆動制御する機能と、分析部４からの分析信号を入力して解析する機能等を有している。また、採血分析装置１の装置本体２には、メモリとして例えばＥＥＰＲＯＭ（図示しない）が取り付けられており、このＥＥＰＲＯＭに対して、上記コントロール装置は、データ（例えば個人情報や分析結果等のデータ）を書き込んだり、データを読出したりする機能を有している。尚、上記ＥＥＰＲＯＭを取り付ける代わりに、半導体プロセスを用いて装置本体２のＳＯＩ基板にＥＥＰＲＯＭを作り込むように構成しても良い。
【００５５】
また、上記構成のインジェクタ２９においては、採血分析装置１を内筒３１に装着した状態では、採血分析装置１の採血針３が外筒３０により覆われて保護されるように構成されている。そして、採血する場合には、外筒３０の図１３中下端部を人体（被験者）の採血部位に当接させた状態で、内筒３１を押すと、採血分析装置１の採血針３が外筒３０の図１３中下端部から下方へ突出することにより、採血針３が人体の採血部位（の例えば毛細血管等）に突き刺さるように構成されている。
【００５６】
続いて、この状態で、採血分析装置１のポンプ部５の圧電ユニモルフアクチュエータ６を通電駆動（例えば１ｋＨｚの電圧を印加）すると、ポンプ部５により人体内の血液が採血針３により吸引されると共に、この採血された血液は採血針３の空洞部３ｂ及び分析部４の流路１２内に入って満たされるように構成されている。ここで、採血針３の空洞部３ｂの内部には、抗凝血剤（heparin sodium（局方））が固着されているので、空洞部３ｂ内で血液が凝固することを防止できる。これにより、空洞部３ｂ及び流路１２内が血液で詰まることはない。
【００５７】
また、このとき、メタノール液供給口２４及び流路２３を通して、変性剤として例えば３０％のメタノール水溶液を上記採血された血液に混合させるように構成されている。尚、上記メタノール水溶液は、外部から、前記ケーブル３２内に設けられた供給チューブ（図示しない）またはケーブル３２とは別体の供給チューブ（図示しない）を通して上記メタノール液供給口２４へ適切な圧力で供給されるように構成されている。
【００５８】
次に、上記した採血分析装置１及びインジェクタ２９を用いて、採血及び分析（例えば血糖値の分析）を実行したときの分析結果について説明する。この場合、空腹時被験患者の前腕部橈側正中皮静脈付近に上記インジェクタ２９をセットし、その内筒３１を押すと共に、採血分析装置１のポンプ部５を通電駆動することにより、例えば約０．１μｌ程度の血液を採血して、その血糖値を分析した。この分析結果を実施例１として、下記の表１に示す。
【００５９】
【表１】
0004045679.tif 000002
【００６０】
この表１において、比較例１は、注射器及び注射針を用いて空腹時被験患者の肘正中皮静脈より例えば約５０ｍｌの血液を採血し、その採血した血液のうちの約２ｍｌをコバス製コバスミラーＳによって血糖値を測定した結果である。また、比較例２は、比較例１で採血した血液のうちの約３０μｌをマイルス・三共（株）製タイドによって血糖値を測定した結果である。上記表１から、実施例１の測定結果が比較例１、２の測定結果にほとんど一致していることがわかり、従って、本実施例の採血分析装置１が十分な採血分析性能を備えていることが明確にわかる。
【００６１】
また、同一被験者に高血糖惹起物質であるトレランジ７５ｇを１単位経口投与した後、３０分、６０分、９０分、１２０分経過後に、それぞれ本実施例の採血分析装置１及びインジェクタ２９を用いて約５μｌを採血して分析を実行した。その分析結果のうちの最大血糖値を示した９０分後の測定結果を、実施例２として下記の表２に示す。
【００６２】
【表２】
0004045679.tif 000003
【００６３】
この表２において、比較例３は、同一被験者に高血糖惹起物質であるトレランジ７５ｇを１単位経口投与した後、３０分、６０分、９０分、１２０分経過後に、注射器及び注射針を用いて約５０ｍｌの血液を採血し、それら各採血した血液のうちの各約２ｍｌをコバス製コバスミラーＳによって血糖値を測定した結果のうちの、最大血糖値を示した９０分後の測定結果である。また、比較例４は、比較例３で採血した各血液のうちの約３０μｌをマイルス・三共（株）製タイドによって血糖値を測定した結果のうちの、最大血糖値を示した９０分後の測定結果である。上記表２から、実施例２の測定結果が比較例３、４の測定結果にほとんど一致していることがわかり、従って、本実施例の採血分析装置１が十分な採血分析性能を備えていることがわかる。
【００６４】
ここで、本実施例の採血分析装置１の血糖値分析の仕組みについて説明する。被験者から採血された血液は、採血針３の空洞部３ｂ及び分析部４の流路１２内を通って満たされる。ここで、採血針３の空洞部３ｂの内部には、抗凝血剤（heparin sodium（局方））が固定処理されているので、空洞部３ｂ内で血液が凝固することが防止され、空洞部３ｂ及び流路１２内が血液で詰まることがない。そして、このとき、メタノール液供給口２４及び流路２３を通して、変性剤として例えば３０％のメタノール水溶液が上記採血された血液に混合され、供試溶液とされる。
【００６５】
この供試溶液について、バイオ素子であるgulcose oxydase （ＧＯＤ）固定化膜中のＧＯＤ消費量（速度）を、白金電極９により検出した検出信号（導電率の変化を検出した信号）に基づいて測定し、この測定値から血糖値を測定する。ここで、本実施例で用いた酵素電極法（ＧＯＤ−Ｐｔ電極）では、ＧＯＤ反応により生じた過酸化水素から血中catalaseにより酸素が発生することを防止する必要がある。そのため、上記供試溶液中にメタノール（methanol）を添加する。尚、上記供試溶液中に、ヨードとモリブデン酸を添加するように構成しても良い。
【００６６】
このような構成の本実施例によれば、採血針３を、微小な針形状に形成された針本体３ａと、この針本体３ａの内部に設けられた空洞部３ｂとを備えて成るように構成したので、採血針３の太さを、蚊の吸血用の口器の太さと同じ程度または小さくすることが可能となる。このような微小な採血針３を使用して採血すれば、被験者に痛みを与えることをほとんど防止できると共に、採血量を大幅に少なくすることができる。即ち、人体に対する侵襲を極めて少なくすることができるのである。
【００６７】
また、上記実施例では、針本体３ａの外周部にのこぎり形状の刃部３ｃを突設したので、針本体３ａを生体に刺すとき、よりスムーズに刺すことができる。このため、被験者に痛みを与えることをより一層防止できる。更に、針本体３ａを生体に刺すときに、ポンプ部５のアクチュエータ６により針本体３ａを振動させるように構成することも好ましい。このように構成すると、針本体３ａを生体に刺すとき、よりスムーズに刺すことができる。
【００６８】
更にまた、上記実施例では、針本体３ａの空洞部３ｂの内面に、ＳｉＯ２の膜を設けたので、採血した血液が針本体３ａの空洞部３ｂを通るときに、その血液が悪影響を受けることを防止することができる。
【００６９】
一方、上記実施例では、針本体３ａの空洞部３ｂの内面部に抗凝血剤（heparin sodium（局方））を固定処理したので、針本体３ａの空洞部３ｂを通る血液が凝固することを防止でき、採血針３の空洞部３ｂや分析部４の流路１２が詰まることを防止できる。
【００７０】
また、上記実施例では、採血針３に、採血用のポンプ部５を一体に設けたので、採血針３とポンプ部５を合わせた構成を小形化することができる。この場合、採血針３及び採血用のポンプ部５から成る採血部と、血液を分析する分析部４とを同一基板に設ける構成としたので、採血部と分析部４を合わせた構成を非常に小形化することができる。そして、この構成の場合、注射針、注射器、試験管等の機器を不要にすることができると共に、採血する血液の量も大幅に少なくすることができる。
【００７１】
更に、上記実施例では、同一基板上に、ポンプ用電極７及び分析用電極９を設けたので、採血分析装置１を非常に小形化することができる。この場合、採血から分析までの血液に接触する部分を１つの部品（小形の部品）として構成したので、医療廃棄物の量を大幅に少なくすることができる。また、上記実施例では、採血分析装置１に、個人情報等を書き込むためのメモリを一体化したので、採血分析装置１を個人に１対１に対応させて使用するシステムを容易に実現することができる。
【００７２】
一方、上記実施例では、採血針３及び装置本体２（即ち、採血分析装置１）を製造するに当たって、半導体プロセスを用いた。これにより、微小な採血針３を実際に製造することができる。
【００７３】
尚、上記実施例では、採血分析装置１の分析部４により採血した血液の血糖値を測定するように構成したが、これに代えて、採血した血液のＤＮＡ分析を行うように構成しても良い。具体的には、メタノール水溶液に代えて、溶媒として例えばクロロホルムフェノールを採血した血液に混合する。上記溶媒としては、ＤＮＡを分離できる機能を有するものであれば何でも良い。そして、上記混合された液体は、精製室、ＰＣＲ（ＤＮＡの増殖）部、分析部に導かれ、必要なＤＮＡを精製、増殖、分析するように構成すれば良い。このような精製、増殖、分析を行うための構成としては、近年文献等で公開されているＤＮＡ分析チップの構成と同じ構成を用いれば良い。
【００７４】
即ち、前記採血分析装置１の分析部４の構成を上記ＤＮＡ分析チップの構成と置き換えれば良い。そして、この構成によれば、採血針３とＤＮＡ分析チップとポンプ部５とが一つの部品（チップ）となるので、ＤＮＡ分析チップだけの構成に比べて、医療廃棄物の量を大幅に少なくすることができる。
【００７５】
また、上記実施例では、分析部４の流路１２の内面にgulcose oxydase （ＧＯＤ）固定化膜を形成する方法として、gulcose oxydase （ＧＯＤ）の溶液をポンプ部５により分析部４内に吸引する方法を用いたが、これに限られるものではなく、gulcose oxydase （ＧＯＤ）の溶液を電気泳導により分析部４内に吸引する方法を用いても良い。
【００７６】
更に、上記実施例では、針本体３ａの空洞部３ｂの内面部に抗凝血剤を保持する方法として、抗凝血剤の溶液をポンプ部５により針本体３ａ内に吸引する方法を用いたが、これに限られるものではなく、抗凝血剤の溶液を電気泳導により針本体３ａ内に吸引する方法を用いても良い。また、針本体３ａを抗凝血剤の溶液にディッピングする方法を用いても良い。このディッピングの場合は、針本体３ａの主として外周部に抗凝血剤が固着されることになるが、この構成でも、針本体３ａの空洞部３ｂを通る血液が凝固することを十分防止できる。
【図面の簡単な説明】
【図１】本発明の一実施例を示す採血分析装置の斜視図
【図２】採血分析装置の下面側の部分斜視図
【図３】採血分析装置の上面図
【図４】採血分析装置の採血針周辺部分の拡大縦断面図
【図５】採血分析装置のポンプ部周辺部分の拡大縦断面図
【図６】図１２（ｂ）の工程のＳＯＩ基板の上面図
【図７】ディフューザー部の拡大上面図
【図８】圧電ユニモルフアクチュエータ収容用の凹部周辺の斜視図
【図９】図１２（ｅ）の工程のＳＯＩ基板の上面図
【図１０】図９中X-X 線に沿う断面図
【図１１】ベースＳＯＩ基板を製造する工程を示す縦断面図
【図１２】採血分析装置の採血針部分を製造する工程を示す縦断面図
【図１３】インジェクタの斜視図
【図１４】内筒に採血分析装置を装着した状態を示す斜視図
【符号の説明】
１は採血分析装置、２は装置本体、３は採血針、３ａは針本体、３ｂは空洞部、３ｃは刃部、４は分析部、５はポンプ部、６は圧電ユニモルフアクチュエータ、７は圧電駆動電極、９は分析電極、１０、１１はＳＯＩ基板、１２は流路、１３はダイヤフラム室、１４は単結晶Ｓｉ基板、１５は酸化シリコン膜、１６はマスク、１７はＳＯＩ基板、１８はベースＳＯＩ基板、１９は溝部、２０はディフューザー部、２２はダイヤフラム、２３は流路、２４はメタノール液供給口、２５、２６はシリコン酸化膜、２７は凹部、２８は基板、２９はインジェクタ、３０は外筒、３１は内筒を示す。
【図１】
0004045679.tif 000004
【図２】
0004045679.tif 000005
【図３】
0004045679.tif 000006
【図４】
0004045679.tif 000007
【図５】
0004045679.tif 000008
【図６】
0004045679.tif 000009
【図７】
0004045679.tif 000010
【図８】
0004045679.tif 000011
【図９】
0004045679.tif 000012
【図１０】
0004045679.tif 000013
【図１１】
0004045679.tif 000014
【図１２】
0004045679.tif 000015
【図１３】
0004045679.tif 000016
【図１４】
0004045679.tif 000017